(57)【特許請求の範囲】
【請求項１】
複数の端末装置と通信をする表示装置であって、
作業の内容を示すモードを受け付けるモード受付部と、
前記複数の端末装置のうちの前記モードに応じて定められた端末装置と通信可能に接続するセッション形成部と、
少なくとも画像データまたはユーザの操作に応じた描画データの何れかを含む表示データを画面に表示する表示部と、
前記表示部に表示された前記表示データのうち、前記ユーザにより指定された一部の前記表示データを抽出する抽出部と、
抽出された前記表示データに基づき、前記端末装置に対応した形状の画像データを生成する生成部と、
前記画像データを、前記複数の端末装置のうちの通信可能に接続された前記端末装置に送信する送信部と、
を備える表示装置。
【請求項２】
前記生成部は、前記端末装置から受信した情報に基づいて前記端末装置に対応した形状の画像データを生成する
請求項１に記載の表示装置。
【請求項３】
前記ユーザが前記画面に描いた選択線の位置を入力する入力部と、
前記抽出部は、前記選択線に囲まれた領域を含む所定のアスペクト比の矩形領域内の前記表示データを抽出する
請求項１に記載の表示装置。
【請求項４】
前記抽出部は、前記選択線に囲まれた領域に少なくとも一部が重なっている前記表示データを全て含む前記矩形領域を設定する
請求項３に記載の表示装置。
【請求項５】
前記アスペクト比は、前記端末装置に対応したアスペクト比であり、
前記生成部は、前記アスペクト比の画像データを生成する
請求項３または４に記載の表示装置。
【請求項６】
前記描画データを生成する描画部をさらに備え、
前記描画部は、前記ユーザの操作の軌跡を表したベクタ形式のストロークデータの集合を、前記描画データとして生成する
請求項１に記載の表示装置。
【請求項７】
前記生成部は、前記描画データに基づき、前記端末装置のディスプレイに対応した解像度のラスタ形式の画像データを生成する
請求項６に記載の表示装置。
【請求項８】
前記端末装置がベクタ形式の画像データを表示可能である場合、前記生成部は、前記描画データに基づき、前記端末装置の画面の形状に対応したベクタ形式の画像データを生成する
請求項６に記載の表示装置。
【請求項９】
背景データを取得する背景取得部をさらに備え、
前記表示部は、前記背景データを前記画面に表示させ、
前記抽出部は、前記背景データを除いて前記表示データを抽出する
請求項１に記載の表示装置。
【請求項１０】
背景データを取得する背景取得部をさらに備え、
前記表示部は、前記背景データを前記画面に表示させ、
前記抽出部は、前記画面に表示された前記背景データにおける、抽出した前記表示データに対応する領域の一部分の前記背景データを切り出して抽出し、
前記生成部は、抽出した一部分の前記背景データと抽出した前記表示データとを合成した前記画像データを生成する
請求項１に記載の表示装置。
【請求項１１】
背景データを取得する背景取得部をさらに備え、
前記表示部は、前記背景データを前記画面に表示させ、
前記生成部は、抽出した前記表示データに対応する領域の前記背景データに対する位置を示す位置情報を生成し、
前記送信部は、前記背景データ、前記画像データおよび前記位置情報を前記端末装置に送信する
請求項１に記載の表示装置。
【請求項１２】
前記送信部は、前記表示データの抽出に先だって、前記背景データを前記端末装置に送信する
請求項１１に記載の表示装置。
【請求項１３】
前記抽出部は、前記ユーザにより選択された複数の領域に表示された前記表示データを抽出する
請求項１に記載の表示装置。
【請求項１４】
前記生成部は、前記複数の領域から抽出された前記表示データのそれぞれを、別個の前記画像データに変換する
請求項１３に記載の表示装置。
【請求項１５】
前記生成部は、前記複数の領域から抽出された前記表示データを、前記端末装置に対応した予め設定された形状の１つの前記画像データに合成する
請求項１３に記載の表示装置。
【請求項１６】
前記抽出部は、前記ユーザによる複数の前記表示データの選択操作中において、前記予め設定された形状に対する選択済みの前記表示データの配置を示すガイド画像を生成して、前記画面に表示させる
請求項１５に記載の表示装置。
【請求項１７】
前記抽出部は、ユーザの操作に応じて前記端末装置に対応した形状に基づく領域の中へ移動された前記一部の表示データを抽出する
請求項１に記載の表示装置。
【請求項１８】
前記描画データを生成する描画部をさらに備え、
前記描画部は、前記描画データに、前記描画データを生成した時刻を付加し、
前記抽出部は、前記ユーザにより選択された前記描画データ、および、選択された前記描画データから予め定められ時間範囲に生成された他の描画データを抽出し、
前記生成部は、複数の領域から抽出された前記描画データを、前記端末装置に対応した予め設定された形状の１つの前記画像データに合成する
請求項１に記載の表示装置。
【請求項１９】
前記端末装置は、受信した画像を表示する画面を有する携帯端末であり、
前記表示部の画面は、前記端末装置の画面より大きい
請求項１に記載の表示装置。
【請求項２０】
前記端末装置は、受信した画像を印刷する印刷装置である
請求項１に記載の表示装置。
【請求項２１】
表示装置と、前記表示装置から画像データを受信して出力する複数の端末装置とを備える伝送システムであって、
前記表示装置は、
作業の内容を示すモードを受け付けるモード受付部と、
前記複数の端末装置のうちの前記モードに応じて定められた端末装置と通信可能に接続するセッション形成部と、
少なくとも画像データまたはユーザの操作に応じた描画データの何れかを含む表示データを画面に表示する表示部と、
前記表示部に表示された前記表示データのうち、前記ユーザにより指定された一部の前記表示データを抽出する抽出部と、
抽出された前記表示データに基づき、前記端末装置に対応した形状の画像データを生成する生成部と、
前記画像データを、前記複数の端末装置のうちの通信可能に接続された前記端末装置に送信する送信部と、
を有し、
前記端末装置は、
前記表示装置から前記画像データを受信する受信部と、
受信した前記画像データを出力する出力部と、
を有する
伝送システム。
【請求項２２】
表示装置と、前記表示装置から画像データを受信して出力する複数の端末装置とを備える伝送システムにおける伝送方法であって、
前記表示装置が、作業の内容を示すモードを受け付け、
前記表示装置が、前記複数の端末装置のうちの前記モードに応じて定められた端末装置と通信可能に接続し、
前記表示装置が、少なくとも画像データまたはユーザの操作に応じた描画データの何れかを含む表示データを画面に表示し、
前記表示装置が、表示された前記表示データのうち、前記ユーザにより指定された一部の前記表示データを抽出し、
前記表示装置が、抽出された前記表示データに基づき、前記端末装置に対応した形状の画像データを生成し、
前記表示装置が、前記画像データを、前記複数の端末装置のうちの通信可能に接続された前記端末装置に送信し、
前記端末装置が、前記表示装置から前記画像データを受信し、
前記端末装置が、受信した前記画像データを出力する
伝送方法。
【発明の詳細な説明】
【技術分野】
【０００１】
本発明は、表示装置、伝送システムおよび伝送方法に関する。
【背景技術】
【０００２】
例えば急ぎで離れた場所へ情報を伝えたい場合、情報を通知する側が、時間経過とともに変化する状況をホワイトボード等に記入しながら、状況の把握および対応を検討することがある。そして、検討した対応の内容および連絡事項等を、電話、メールおよびＦＡＸ等で離れた場所にいる情報を受け取る側へ通知する。このような状況は例えば災害や事故が発生した際の指令室と現場担当者とのやり取りの中で見られるが、このような特殊な緊急時に限られずオフィス、店舗、病院、工場、道路、鉄道、一般家庭など様々な場面で起こりうる。
【０００３】
また、近年、情報を受け取る側の一人一人がスマートフォンまたはタブレットのような端末装置を保有し、情報を通知する側からの対応の内容および連絡事項を端末装置で受け取ることができるようになっている。例えば、ホワイトボードに記入された文字をキャプチャした画像をネットワークを介して端末装置で受信して、表示することもできる。
【発明の概要】
【発明が解決しようとする課題】
【０００４】
しかしながら、ホワイトボードの画面に対して、端末装置の画面は小さい。また、アスペクト比もホワイトボードの画面と端末装置の画面とで異なる。従って、ホワイトボードの画面をそのままキャプチャした画像を端末装置に表示しても、縮小されてしまう。このため、情報を受け取る側は、急ぎで離れた場所へ情報を伝えたい場合において、画像の中のどの内容が必要な情報であるのかを早急に理解することは困難であった。
【０００５】
本発明は、上記に鑑みてなされたものであって、画面に表示した情報を端末装置で確認し易い画像データにして端末装置に送信する表示装置、伝送システムおよび伝送方法を提供することを目的とする。
【課題を解決するための手段】
【０００６】
上述した課題を解決し、目的を達成するために、本発明は、複数の端末装置と通信をする表示装置であって、作業の内容を示すモードを受け付けるモード受付部と、前記複数の端末装置のうちの前記モードに応じて定められた端末装置と通信可能に接続するセッション形成部と、少なくとも画像データまたはユーザの操作に応じた描画データの何れかを含む表示データを画面に表示する表示部と、前記表示部に表示された前記表示データのうち、前記ユーザにより指定された一部の前記表示データを抽出する抽出部と、抽出された前記表示データに基づき、前記端末装置に対応した形状の画像データを生成する生成部と、前記画像データを、前記複数の端末装置のうちの通信可能に接続された前記端末装置に送信する送信部と、を備える表示装置を特徴とする。
【発明の効果】
【０００７】
本発明によれば、画面に表示した情報を端末装置で確認し易い画像データにして端末装置に送信することができる。
【図面の簡単な説明】
【０００８】
【図１】図１は、実施形態に係る伝送システム１０を示す図である。
【図２】図２は、電子黒板２０の外観の一例を示す図である。
【図３】図３は、電子黒板２０のハードウェア構成の一例を示す図である。
【図４】図４は、端末装置３０の外観の一例を示す図である。
【図５】図５は、端末装置３０のハードウェア構成の一例を示す図である。
【図６】図６は、電子黒板２０の機能ブロックを示す図である。
【図７】図７は、端末装置３０の機能ブロックを示す図である。
【図８】図８は、伝送システム１０の処理フローを示す図である。
【図９】図９は、ユーザの操作により描かれた描画データ６０を表示している電子黒板２０を示す図である。
【図１０】図１０は、電子黒板２０に記憶されている描画データの一例を示す図である。
【図１１】図１１は、ユーザの操作により描かれた選択線６１、および、選択線６１により指定される矩形領域６２を表示している電子黒板２０を示す図である。
【図１２】図１２は、矩形領域６２から抽出された描画データ、および、描画データを変換して生成された画像データを示す図である。
【図１３】図１３は、電子黒板２０から端末装置３０へ画像データを送信している伝送システム１０を示す図である。
【図１４】図１４は、電子黒板２０から端末装置３０へベクタ形式の画像データを送信する場合の処理を示す図である。
【図１５】図１５は、第１変形例に係る電子黒板２０の機能ブロックを示す図である。
【図１６】図１６は、背景データ８２を表示している電子黒板２０を示す図である。
【図１７】図１７は、背景データ８２上に描かれた選択線６１および矩形領域６２を表示している電子黒板２０の第１例を示す図である。
【図１８】図１８は、背景データを除いて抽出された描画データおよび画像データを示す図である。
【図１９】図１９は、背景データ８２上に描かれた選択線６１および矩形領域６２を表示している電子黒板２０の第２例を示す図である。
【図２０】図２０は、背景データとともに抽出された描画データおよび画像データを示す図である。
【図２１】図２１は、背景データと画像データとを別個に端末装置３０へと送信する例を示す図である。
【図２２】図２２は、第２変形例に係る電子黒板２０を示す図である。
【図２３】図２３は、抽出された複数の描画データを１つの画像データに合成する処理を示す図である。
【図２４】図２４は、抽出された複数の描画データを別個の画像データに変換する処理を示す図である。
【図２５】図２５は、ガイド画像９１が表示されている電子黒板２０を示す図である。
【図２６】図２６は、第３変形例に係る電子黒板２０の記憶部４３に記憶された描画データの一例を示す図である。
【図２７】図２７は、手動で選択された描画データと自動で選択された描画データとを合成する処理を示す図である。
【発明を実施するための形態】
【０００９】
以下、図面を参照しながら実施形態に係る伝送システム１０について詳細に説明する。本実施形態に係る伝送システム１０は、表示装置の一例である電子黒板２０に表示された情報を端末装置３０で確認し易い画像データに加工して、端末装置３０に送信することを目的としている。
【００１０】
（伝送システム１０の全体構成）
図１は、実施形態に係る伝送システム１０を示す図である。伝送システム１０は、電子黒板２０と、複数の端末装置３０とを備える。
【００１１】
電子黒板２０と、複数の端末装置３０とは、ネットワークを介して接続される。端末装置３０は、無線通信よりネットワークに接続される。なお、複数の端末装置３０の一部は、有線通信によりネットワークに接続されてもよい。また、電子黒板２０は、ネットワークに無線通信により接続されても有線通信により接続されてもよい。また、ネットワークは、ＬＡＮ（Local  Area  Network）であってもよいし、ＷＡＮ（Wide  Area  Network）であってもよいし、ＷＡＮに公衆回線が含まれていてもよいし、どのようなネットワークであってもよい。
【００１２】
電子黒板２０は、電子ペン２２または手等による画面に対するユーザの操作に応じて描画データを生成し、生成した描画データを記憶する。そして、電子黒板２０は、生成した描画データを表示する。これにより、ユーザは、壁にペンを用いて文字または図形を描くように、電子黒板２０に文字または図形を描くことができる。
【００１３】
また、電子黒板２０は、ネットワークを介して複数の端末装置３０のそれぞれと接続し、情報のやり取りを行う。電子黒板２０は、複数の端末装置３０によりアクセスされるサーバとしての機能も有する。なお、電子黒板２０は、別個のサーバ装置を介して複数の端末装置３０と接続されてもよい。
【００１４】
端末装置３０は、画像データの出力機能（例えば、表示機能）および画像データの通信機能を有する装置である。端末装置３０は、一例として、スマートフォン、タブレット、および、携帯電話機等の携帯端末である。また、端末装置３０は、ユーザにより持ち歩きがされないようなコンピュータ、電子看板のような通信機能を有するモニタ装置等であってもよい。
【００１５】
このような伝送システム１０は、本実施形態においては、ＩＴシステムの業務の連絡用のシステムとして用いられる。電子黒板２０は、離れた場所へ指示を通知する拠点に設置され、例えばＩＴシステムのネットワーク障害またはメンテナンス等が発生した場合における、全体状況の把握、対策の検討および担当者への指示等をするために用いられる。また、端末装置３０は、実際の作業や保守等を担当する個別の担当者により保持され、指示を出す拠点からの連絡および指示等を受けるために用いられる。本実施形態においては、ＩＴシステムの業務の連絡用のシステムに用いられる例を説明するが、伝送システム１０は、どのようなグループに用いられてもよい。例えば、様々な業種のオフィス全般、店舗、病院、工場、道路、鉄道、一般家庭などで即座に情報をやり取りするための利用シーンにおいても伝送システム１０は適用可能である。
【００１６】
（電子黒板２０の外観およびハードウェア構成）
図２は、電子黒板２０の外観の一例を示す図である。電子黒板２０は、本体部２１１と、支柱２１２と、脚部２１３とを備える。
【００１７】
本体部２１１は、ディスプレイ２２０を含み、当該電子黒板２０の主機能を有する。支柱２１２は、ディスプレイ２２０の表示面が垂直に配置されるように、本体部２１１を支持する。脚部２１３は、当該電子黒板２０が転倒しないように、支柱２１２を床に対して支持する。さらに、脚部２１３は、キャスタを有し、電子黒板２０を床の上を移動させる。このような電子黒板２０は、ディスプレイ２２０対する電子ペン２２および手によるユーザの操作を入力し、ユーザの操作に応じた描画データを表示することができる。
【００１８】
図３は、電子黒板２０のハードウェア構成の一例を示す図である。電子黒板２０は、ＣＰＵ（Central  Processing  Unit）２２１と、ＲＯＭ（Read  Only  Memory）２２２と、ＲＡＭ（Random  Access  Memory）２２３と、フラッシュメモリ２２４と、ＳＳＤ（Solid  State  Drive）２２５と、ＨＤ（Hard  Disk）２２６と、ＨＤＤ（Hard  Disk  Drive）２２７と、ネットワークＩ／Ｆ２２８と、メディアドライブ２２９と、音声入出力Ｉ／Ｆ２３１と、画像入力Ｉ／Ｆ２３２と、キャプチャデバイス２３３と、ＧＰＵ（Graphics  Processing  Unit）２３４と、ディスプレイ２２０と、ディスプレイコントローラ２３５と、接触センサ２３６と、センサコントローラ２３７と、電子ペンコントローラ２３８と、バスライン２４０とを備える。
【００１９】
ＣＰＵ２２１は、電子黒板２０の全体の動作を制御する。ＲＯＭ２２２は、ＣＰＵ２２１の駆動に用いられるプログラムを記憶する。ＲＡＭ２２３は、ＣＰＵ２２１のワークエリアとして使用される。フラッシュメモリ２２４は、電子黒板２０用の制御プログラム等の各種データを記憶する。電子黒板２０は、フラッシュメモリ２２４に代えて、ＥＥＰＲＯＭ等を備えてもよい。ＳＳＤ２２５は、ＣＰＵ２２１の制御に従ってフラッシュメモリ２２４に対する各種データの読み出しまたは書き込みを制御する。
【００２０】
ＨＤ２２６は、端末装置３０へと提供するためのデータおよびプログラム等を記憶する。ＨＤＤ２２７は、ＣＰＵ２２１の制御に従ってＨＤ２２７に対する各種データの読み出しまたは書き込みを制御する。
【００２１】
ネットワークＩ／Ｆ２２８は、ネットワークを介した通信を制御する。メディアドライブ２２９は、電子黒板２０に対して着脱可能なフラッシュメモリ等の記録メディアに対するデータの読み出しまたは書き込み（記憶）を制御する。音声入出力Ｉ／Ｆ２３１は、ＣＰＵ２２１の制御に従ってマイクロフォンスピーカ等との間で音信号の入出力を処理する。
【００２２】
画像入力Ｉ／Ｆ２３２は、カメラにより撮像された画像を入力する。キャプチャデバイス２３３は、例えば他のコンピュータのディスプレイに表示された静止画または動画を取り込む。ＧＰＵ２３４は、グラフィクス処理を実行する。ＧＰＵ２３４は、ユーザにより入力された情報に応じた画像の描画処理を実行する。また、ＧＰＵ２３４は、描画した画像と、キャプチャデバイス２３３により取り込まれた画像およびカメラから入力した画像とを合成する処理等を実行する。ディスプレイコントローラ２３５は、ＧＰＵ２３４からの出力画像をディスプレイ２２０へ出力するために画面表示の制御および管理を行う。
【００２３】
接触センサ２３６は、電子ペン２２またはユーザの手によるディスプレイ２２０に対する接触の操作および情報の入力を検知する。センサコントローラ２３７は、ＣＰＵ２２１の制御に従って接触センサ２３６の処理を制御する。
【００２４】
接触センサ２３６は、一例として、赤外線遮断方式による座標の入力および座標の検出を行う。座標の入力および座標の検出する方法は、ディスプレイ２２０の上側両端部に設置された２つの受発光装置（不図示）が、ディスプレイ２２０に平行して複数の赤外線を放射し、ディスプレイ２２０の周囲に設けられた反射部材によって反射されて、受光素子が放射した光の光路と同一の光路上を戻って来る光を受光する方法である。接触センサ２３６は、物体によって遮断された２つの受発光装置が放射した赤外線のＩＤ（Identification）をセンサコントローラ２３７に出力する。センサコントローラ２３７は、物体の接触位置である座標位置を特定する。
【００２５】
また、接触センサ２３６として、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００２６】
電子ペンコントローラ２３８は、電子ペン２２と通信することで、ディスプレイ２２０へのペン先のタッチやペン尻のタッチの有無を判断する。なお、電子ペンコントローラ２３８が、電子ペン２２のペン先およびペン尻だけでなく、電子ペン２２のユーザが握る部分またはその他の電子ペンの部分のタッチの有無を判断するようにしてもよい。
【００２７】
バスライン２４０は、各構成要素の間を接続するためのアドレスバスおよびデータバス等である。
【００２８】
（端末装置３０の外観およびハードウェア構成）
図４は、端末装置３０の外観の一例を示す図である。例えば、端末装置３０は、略長方形の主面を有する薄板状であって、ユーザの手により持ち運び可能な程度の大きさの電子機器である。端末装置３０は、例えば、コンピュータと同様の情報処理および通信の機能を有し、さらに、電話による通話も可能である。端末装置３０は、その主面に、画像データを表示するためのタッチパネルディスプレイ３２０を備える。
【００２９】
図５は、端末装置３０のハードウェア構成の一例を示す図である。端末装置３０は、ＣＰＵ３２１と、ＲＯＭ３２２と、ＲＡＭ３２３と、フラッシュメモリ３２４と、ＳＳＤ３２５と、電源スイッチ３２６と、ネットワークＩ／Ｆ３３１と、カメラ３３２と、撮像素子Ｉ／Ｆ３３３と、マイクロフォン３３４と、スピーカ３３５と、音声入出力Ｉ／Ｆ３３６と、タッチパネルディスプレイ３２０と、ディスプレイＩ／Ｆ３３８と、入力Ｉ／Ｆ３３９と、バスライン３４０とを備える。
【００３０】
ＣＰＵ３２１は、端末装置３０の全体の動作を制御する。ＲＯＭ３２２は、ＣＰＵ３２１の駆動に用いられるプログラムを記憶する。ＲＡＭ３２３は、ＣＰＵ３２１のワークエリアとして使用される。フラッシュメモリ３２４は、端末装置３０用の制御プログラムおよび画像データ等の各種データを記憶する。端末装置３０は、フラッシュメモリ３２４に代えて、ＥＥＰＲＯＭ等を備えてもよい。ＳＳＤ３２５は、ＣＰＵ３２１の制御に従ってフラッシュメモリ３２４に対する各種データの読み出しまたは書き込みを制御する。電源スイッチ３２６は、端末装置３０の電源のオン／オフを切り換えるためのボタンである。
【００３１】
ネットワークＩ／Ｆ３３１は、ネットワークを介した通信を制御する。カメラ３３２は、ＣＰＵ３２１の制御に従って被写体を撮像して画像データを得る。撮像素子Ｉ／Ｆ３３３は、カメラ３３２の駆動を制御する。マイクロフォン３３４は、音を入力する。スピーカ３３５は、音を出力する。音声入出力Ｉ／Ｆ３３６は、ＣＰＵ３２１の制御に従ってマイクロフォン３３４およびスピーカ３３５との間で音信号の入出力を処理する。
【００３２】
タッチパネルディスプレイ３２０は、画像データに応じた画像および操作用アイコン等を表示する。さらに、タッチパネルディスプレイ３２０は、画面上にされた操作入力を受け付ける。ディスプレイＩ／Ｆ３３８は、ＣＰＵ３２１の制御に従ってタッチパネルディスプレイ３２０に画像データを伝送する。入力Ｉ／Ｆ３３９は、タッチパネルディスプレイ３２０に対してされた操作入力を検出する。バスライン３４０は、各構成要素の間を接続するためのアドレスバスおよびデータバス等である。
【００３３】
（電子黒板２０および端末装置３０の機能構成）
図６は、電子黒板２０の機能ブロックを示す図である。電子黒板２０は、図３に示したＣＰＵ２２１がプログラムを実行し、必要に応じて他のハードウェア資源と協働することにより、図６に示す各ブロックの機能が実現される。なお、図６に示すブロックのそれぞれは、一部または全部がハードウェアにより構成されてもよい。
【００３４】
電子黒板２０は、入力部４１と、描画部４２と、記憶部４３と、表示部４４と、抽出部４５と、生成部４６と、送信部４７と、モード受付部４８と、セッション形成部４９とを備える。
【００３５】
入力部４１は、電子ペン２２および手等によるユーザの操作を入力する。描画部４２は、入力部４１が入力したユーザの操作に応じた描画データを生成する。記憶部４３は、描画部４２が生成した描画データを記憶する。
【００３６】
表示部４４は、ディスプレイ２２０の画面に、記憶部４３に記憶された描画データを含む表示データを画面に表示する。抽出部４５は、画面に表示された表示データのうち、ユーザにより指定された一部の表示データを記憶部４３から抽出する。生成部４６は、抽出部４５により抽出された表示データに基づき、端末装置３０のタッチパネルディスプレイ３２０の画面に対応した形状の画像データを生成する。端末装置３０のタッチパネルディスプレイ３２０の画面に対応した形状は、例えば予め設定されている。また、端末装置３０のタッチパネルディスプレイ３２０の画面に対応した形状は、端末装置３０から受信した情報（例えば画面のアスペクト比を示す情報）に基づいて生成されてもよい。送信部４７は、生成部４６により生成された画像データを、それぞれの端末装置３０に送信する。なお、記憶部４３は、電子黒板２０が外部から入力した他の画像データを記憶してもよい。例えば、記憶部４３は、端末装置３０から受信した画像データ、着脱可能なフラッシュメモリ等の記録メディアに記憶された画像データを、または、スキャナ等の読み取り機器等が紙面を読み取った画像データ等を取得して記憶してもよい。この場合、表示部４４は、画像データおよび描画データを含む表示データを表示する。そして、抽出部４５は、少なくとも画像データまたは描画データの何れかを含む表示データの一部を抽出する。
【００３７】
モード受付部４８は、作業の開始に先だって、ユーザから作業の内容を示すモードを受け付ける。セッション形成部４９は、全ての端末装置３０のうちの、モードに応じて定められた端末装置３０と通信可能に接続する。そして、送信部４７は、セッション形成部４９により通信可能に接続された端末装置３０に画像データを送信する。
【００３８】
図７は、端末装置３０の機能ブロックを示す図である。端末装置３０は、図５に示したＣＰＵ３２１がプログラムを実行し、必要に応じて他のハードウェア資源と協働することにより、図７に示す各ブロックの機能が実現される。なお、図７に示すブロックのそれぞれは、一部または全部がハードウェアにより構成されてもよい。
【００３９】
端末装置３０は、受信部５１と、出力部５２と、端末側セッション形成部５３とを備える。受信部５１は、電子黒板２０から送信された画像データを受信する。出力部５２は、タッチパネルディスプレイ３２０の画面に画像データを表示する。端末側セッション形成部５３は、電子黒板２０との間で通信を確立する処理を実行する。受信部５１は、端末側セッション形成部５３により電子黒板２０との通信が確立された場合に、電子黒板２０から画像データを受信することができる。
【００４０】
（伝送システム１０の処理フロー）
図８は、伝送システム１０の処理フローを示す図である。伝送システム１０は、何等かの事象が発生し、事象に対する対策が実行される場合、図８に示すシーケンスで処理が実行される。
【００４１】
まず、ステップＳ１１において、電子黒板２０のモード受付部４８は、ユーザにより指定されたモードを受け付ける。モード受付部４８は、電子黒板２０に予め登録されている複数のモードの中から、発生した事象の内容に合致した１つのモードをユーザに選択させてもよい。例えば、モード受付部４８は、ネットワーク障害等が発生した場合には、ネットワーク障害モードを選択させ、メンテナンス作業等が発生した場合にはメンテナンスモード等を選択させてもよい。なお、ネットワーク障害モードやメンテナンスモードはあくまで一例であって、ユーザの利用シーンに応じてモードの名称は変更されてもよい。
【００４２】
続いて、ステップＳ１２において、電子黒板２０のセッション形成部４９は、複数の端末装置３０との通信を確立する。電子黒板２０は、端末装置３０と通信を確立することにより、その端末装置３０へと画像データをプッシュ送信することができる。
【００４３】
なお、ここで、セッション形成部４９は、ステップＳ１１で選択されたモードに応じて、接続を確立する対象となる端末装置３０を選択してもよい。例えば、セッション形成部４９は、ネットワーク障害モードの場合には、全ての拠点の全ての担当者が保有する端末装置３０と接続を確立する。また、例えば、セッション形成部４９は、メンテナンスモードでは、メンテナンス対象のシステムやサーバが設置してある拠点の全ての担当者が保有する端末装置３０と接続を確立する。これにより、電子黒板２０は、連絡および指示をすべき端末装置３０に対して確実に情報を送信し、連絡および指示が不要な端末装置３０へは情報を不送信にすることができる。
【００４４】
続いて、ステップＳ１３において、電子黒板２０の入力部４１は、画面に対する電子ペン２２等を用いたユーザの操作を受け付ける。そして、電子黒板２０の描画部４２は、その操作により描かれた描画データを生成する。電子黒板２０の記憶部４３は、生成された描画データを記憶する。これとともに、電子黒板２０の表示部４４は、描画データを画面上の対応する位置に表示する。
【００４５】
例えば、図９に示されるように、電子黒板２０は、電子ペン２２により画面に対して記入された文字または図形を表す描画データ６０を生成して、記憶および表示する。
【００４６】
なお、本実施形態においては、描画データは、電子ペンの軌跡および画面上の位置をベクタ形式で表したストロークデータの集合である。描画データは、例えば、図１０に示されるように、ユーザが電子ペン２２で文字列または図形等の記入を開始してから、その文字列または図形等を記入し終えるまでの一連の操作により生成されたストロークデータの集合である。描画データは、文字列または図形の単位のデータでなく、文字等の単位のデータであってもよい。また、描画部４２は、入力部４１が所定の消去操作を受け付けることにより、指定された描画データを消去してもよい。
【００４７】
本実施形態において、指示を通知する拠点のユーザは、ステップＳ１３において、電子黒板２０に、発生した事象の状況、対策、担当者および事象の解決の目標時刻（復旧見込み）等を記入する。
【００４８】
続いて、ステップＳ１４において、電子黒板２０は、ユーザが所定のボタンの押し下し等の所定の操作をしたことに応じて、抽出段階に移行する。抽出段階において、電子黒板２０の抽出部４５は、表示部４４に表示された描画データのうち、ユーザにより選択された一部の描画データを記憶部４３から抽出する。
【００４９】
例えば、図１１に示すように、抽出部４５は、ユーザが電子ペン２２により画面に描いた選択線６１の位置を入力する。例えば、選択線６１は、自由曲線等により描かれた略円形の線である。そして、抽出部４５は、選択線６１に囲まれた領域を含む所定のアスペクト比の矩形領域６２内の描画データを抽出する。このアスペクト比は、一例として、端末装置３０の出力部５２の画面に対応したアスペクト比である。抽出部４５は、このアスペクト比を予め記憶している。
【００５０】
この場合において、抽出部４５は、選択線６１に囲まれた領域に少なくとも一部が重なっている描画データを全て含むような矩形領域６２を設定してもよい。これにより、略円形の選択線６１が、ユーザが抽出しようとした描画データの領域より小さかった場合であっても、抽出部４５は、途中で切断せずに描画データを抽出することができる。
【００５１】
続いて、ステップＳ１５において、電子黒板２０の生成部４６は、抽出した描画データに基づき、端末装置３０の画面に対応したアスペクト比のラスタ形式の画像データを生成する。
【００５２】
ステップＳ１４で抽出した描画データは、ベクタ形式のデータである。このため、生成部４６は、図１２に示すように、抽出したベクタ形式の描画データを、ベクタ−ラスタ変換をして、端末装置３０の画面のアスペクト比のラスタ形式の画像データに変換する。例えば、生成部４６は、ＪＰＥＧ（Joint  Photographic  Experts  Group）、ビットマップまたはＰＤＦ（Portable  Document  Format）等の形式の画像データに変換する。また、生成部４６は、画像データの解像度を、端末装置３０のタッチパネルディスプレイ３２０に対応した解像度に変換してもよい。
【００５３】
続いて、ステップＳ１６において、電子黒板２０の送信部４７は、図１３に示すように、複数の端末装置３０のそれぞれに対して、生成した画像データをブロードキャスト送信する。続いて、ステップＳ１７において、それぞれの端末装置３０の受信部５１は、電子黒板２０から画像データを受信する。そして、ステップＳ１８において、それぞれの端末装置３０の出力部５２は、受信した画像データを表示する。
【００５４】
このように、本実施形態に係る伝送システム１０は、電子黒板２０に表示された描画データのうちの一部を抽出して、端末装置３０の画面のアスペクト比に対応した形状の画像データを生成する。そして、伝送システム１０は、このような画像データを電子黒板２０から端末装置３０へと送信して、端末装置３０に表示させる。これにより、本実施形態に係る伝送システム１０によれば、比較的に大きい画面を有する電子黒板２０に表示された情報を、比較的に小さい画面を有する端末装置３０で確認し易い画像データに変換して端末装置３０に表示させることができる。なお、本実施形態において、電子黒板２０に表示された描画データの一部を抽出する例について説明したが、電子黒板２０が外部から入力した他の画像データを表示する場合には、画面に表示された全ての表示データが抽出対象となる。従って、この場合、伝送システム１０は、少なくとも画像データまたは描画データの何れかを含む表示データの一部を抽出して、端末装置３０の画面のアスペクト比に対応した形状の画像データを生成する。
【００５５】
図１４は、電子黒板２０から端末装置３０へベクタ形式の画像データを送信する場合の処理を示す図である。端末装置３０がベクタ形式の画像データを表示可能である場合もある。この場合、電子黒板２０は、図１４に示すように、抽出した描画データに基づき、端末装置３０の画面の形状に対応したベクタ形式の画像データを生成してもよい。なお、この場合、電子黒板２０は、抽出した描画データに含まれる座標を、端末装置３０の画面に対応したアスペクト比の画面サイズの座標に変換する。
【００５６】
端末装置３０は、電子黒板２０からベクタ形式の画像データを受信すると、受信したベクタ形式の画像データをラスタ形式の画像データに変換して表示する。このように電子黒板２０は、端末装置３０がベクタ形式の画像データを表示可能である場合、ベクタ形式の画像データを端末装置３０に表示してもよい。電子黒板２０は、ベクタ形式の画像データを端末装置３０へと送信する場合、データの転送量を小さくすることができる。
【００５７】
（第１変形例）
図１５は、第１変形例に係る電子黒板２０の機能ブロックを示す図である。図１６は、背景データ８２を表示している電子黒板２０を示す図である。
【００５８】
第１変形例に係る伝送システム１０は、図１から図１４を参照して説明した構成と略同一の構成および機能を有する。従って、以下、図１から図１４を参照して説明した構成との相違点について説明をする。
【００５９】
第１変形例に係る電子黒板２０は、背景取得部８１をさらに備える。背景取得部８１は、例えば外部から背景データを取得する。記憶部４３は、背景取得部８１が取得した背景データを記憶する。そして、表示部４４は、記憶部４３に記憶された背景データを画面に表示する。
【００６０】
背景取得部８１は、外部のコンピュータまたは記録メディア等から背景データを受け取ってもよい。また、背景取得部８１は、メール等に含まれている情報を背景データとして受け取ってもよい。
【００６１】
また、モード設定時において、背景取得部８１は、指定されたモードに応じた背景データを取得してもよい。例えば、背景取得部８１は、ネットワーク障害モードが選択された場合には、図１６に示すようなネットワーク全体の構成図を表した背景データを取得してもよい。また、例えば、背景取得部８１は、メンテナンスモードが選択された場合には、メンテナンス対象のネットワーク構成を表した背景データを取得してもよい。これにより、描画部４２は、例えば、背景データの上から、例えば、ユーザにより書き込まれた描画データ（例えば、ネットワーク障害等の事象の位置を示すマーク）を重ねて表示することができる。
【００６２】
図１７は、背景データ８２上に描かれた選択線６１および矩形領域６２を表示している電子黒板２０の第１例を示す図である。図１８は、背景データを除いて抽出された描画データおよび画像データを示す図である。
【００６３】
第１変形例において、抽出部４５は、図１７に示すように、背景データ８２に重ねて表示された描画データ６０を選択線６１により選択することができる。この場合、抽出部４５は、一例として、背景データ８２を除いて描画データ６０を抽出する。そして、生成部４６は、図１８に示すように、背景データ８２が除かれた状態の描画データ６０に基づき、画像データを生成する。これにより、第１変形例に係る電子黒板２０は、ユーザにより書き込まれた描画データ６０を抽出して、端末装置３０へと送信することができる。
【００６４】
図１９は、背景データ８２上に描かれた選択線６１および矩形領域６２を表示している電子黒板２０の第２例を示す図である。図２０は、背景データとともに抽出された描画データおよび画像データを示す図である。
【００６５】
また、第１変形例において、抽出部４５は、図１９に示すように、描画データとともに、画面に表示された背景データ８２における、抽出した描画データ６０に対応する領域の一部分の背景データ８２を切り出して抽出してもよい。この場合、生成部４６は、図２０に示すように、抽出した一部分の背景データ８２と抽出した描画データとを合成した画像データを生成する。これにより、第１変形例に係る電子黒板２０は、ユーザにより書き込まれた描画データ６０とともに、背景データ８２の一部を端末装置３０へと送信することができる。
【００６６】
なお、電子黒板２０は、背景データ８２の一部を切り出して描画データと合成した画像データを生成するか、背景データ８２を除いた画像データを生成するかが予め設定されていてもよいし、ユーザの操作に応じて切り替えてもよい。
【００６７】
図２１は、背景データと画像データとを別個に端末装置３０へと送信する例を示す図である。第１変形例において、電子黒板２０は、背景データと画像データとを同時に端末装置３０へと送信してもよいし、背景データと画像データとを別個に端末装置３０へと送信してもよい。
【００６８】
背景データと画像データとを別個に端末装置３０へと送信する場合、例えば、電子黒板２０の送信部４７は、モードの選択がされてセッションが形成された後、描画データの抽出に先だって、背景データだけを端末装置３０に送信する。そして、電子黒板２０の生成部４６は、描画データが抽出された場合、画像データとともに、抽出した描画データに対応する領域の背景データに対する位置を示す位置情報を生成する。そして、送信部４７は、画像データおよび位置情報を端末装置３０に送信する。
【００６９】
端末装置３０は、画像データおよび位置情報を受信すると、受信した画像データを、予め受信した背景データ上における位置情報に示された位置に重ねて表示する。これにより、電子黒板２０は、必要な情報のみを端末装置３０へと送信することができる。
【００７０】
（第２変形例）
図２２は、第２変形例に係る電子黒板２０を示す図である。第２変形例に係る伝送システム１０は、図１から図２１を参照して説明した構成と略同一の構成および機能を有する。従って、以下、図１から図２１を参照して説明した構成との相違点について説明をする。
【００７１】
第２変形例において、抽出部４５は、画面上においてユーザにより複数の領域が選択された場合、ユーザにより選択された複数の領域に表示された描画データを抽出する。
【００７２】
例えば、入力部４１は、ユーザが電子ペン２２により画面に描いた、略円形の複数の選択線６１の位置を入力する。そして、抽出部４５は、複数の選択線６１のそれぞれに対して、その選択線６１に囲まれた領域を含む矩形領域６２内の描画データを抽出する。この場合において、矩形領域６２は、端末装置３０の画面のアスペクト比に対応していなくてもよい。
【００７３】
そして、図２３に示すように、生成部４６は、複数の領域から抽出された描画データを、端末装置３０の画面に対応した予め設定されたアスペクト比の形状の１つの画像データに合成する。これにより、第２変形例に係る電子黒板２０は、複数の領域に記入された情報を端末装置３０へと送信して表示させることができる。
【００７４】
また、図２４に示すように、生成部４６は、複数の領域から抽出された描画データのそれぞれを、別個の画像データに変換してもよい。この場合、送信部４７は、複数の画像データのそれぞれを端末装置３０へと送信する。また、端末装置３０は、電子黒板２０から複数の画像データを受信する。複数の画像データを受信した場合、端末装置３０は、複数の画像データを異なるページに表示する。端末装置３０は、ユーザによりページ送りまたはページ戻しの操作がされた場合、画像データの表示を切り替える。これにより、第２変形例に係る電子黒板２０は、複数の領域に記入された情報を端末装置３０へと送信して表示させることができる。
【００７５】
図２５は、ガイド画像９１が表示されている電子黒板２０を示す図である。第２変形例において、複数の領域から選択された描画データを１つに合成した画像データを生成する場合に、抽出部４５は、描画データの選択操作中において、予め設定された形状に対する選択済みの描画データの配置を示すガイド画像９１を生成して、画面に表示させてもよい。
【００７６】
例えば、抽出部４５は、画面の端にガイド画像９１を表示する。ガイド画像９１は、例えば、端末装置３０の画面のアスペクト比に対応した形状を示す領域を表示する際に利用される画像である。抽出部４５は、一例として、選択済みの描画データが割り当てられる領域をハッチング画像としたガイド画像９１を表示する。また、抽出部４５は、選択済みの描画データが割り当てられていない空き領域の割合を、ガイド画像９１とともに表示してもよい。これにより、電子黒板２０は、複数の描画データを１つの画像データに合成する場合に、適切な数の描画データをユーザに選択させることができる。なお、抽出部４５は、ユーザの操作に応じて、ガイド画像９１によって示される領域の中へ移動された一部の描画データを抽出してもよい。例えば、抽出部４５は、ユーザが選択した描画データを直接移動（例えばドラッグアンドドロップによる移動）させることにより一部の描画データを抽出してもよい。
【００７７】
また、抽出部４５は、描画データを選択する前に、選択する描画データの領域の数をユーザに入力させてもよい。この場合、抽出部４５は、ユーザが入力した領域の数に応じた数の分割領域を、ガイド画像９１内に表示してもよい。例えば、抽出部４５は、ユーザが入力した領域の数が４個の場合、十字に４分割した分割領域を含むガイド画像９１を表示する。そして、抽出部４５は、分割領域のそれぞれに対して、１つの領域から抽出した描画データを割り当てる。これにより、電子黒板２０は、予め定められた分割領域に配置できるような描画データをユーザに選択させることができる。
【００７８】
（第３変形例）
図２６は、第３変形例に係る電子黒板２０の記憶部４３に記憶された描画データの一例を示す図である。第３変形例に係る伝送システム１０は、図１から図２５を参照して説明した構成と略同一の構成および機能を有する。従って、以下、図１から図２５を参照して説明した構成との相違点について説明をする。
【００７９】
第３変形例に係る描画部４２は、それぞれの描画データに時刻を付加する。記憶部４３は、図２６に示すように、描画データおよび時刻を対応させて記憶する。なお、描画部４２は、描画データよりも細かい文字単位またはストロークデータ単位で時刻を付加してもよい。
【００８０】
抽出部４５は、ユーザにより描画データが選択された場合、ユーザにより選択された描画データ、および、選択された描画データから予め定められ時間範囲に生成された他の描画データを抽出する。例えば、抽出部４５は、選択された描画データから、前後５分間の間に生成された描画データを、付加された時刻を参照して抽出する。
【００８１】
そして、生成部４６は、複数の領域から抽出された描画データを、端末装置３０の画面に対応した予め設定された形状の１つの画像データに合成する。例えば、図２７に示すように、生成部４６は、ユーザにより手動で選択された描画データと、自動で選択された描画データとを１つの画像データに合成する。送信部４７は、このように生成した画像データを端末装置３０に送信する。
【００８２】
このような第３変形例に係る伝送システム１０によれば、同時期に記入された関連する情報を自動で選択して端末装置３０に送信することができる。
【００８３】
（その他の変形例）
以上説明した本実施形態に係る複数の端末装置３０は、全ての同一の画面サイズの出力部５２を有していた。しかし、複数の端末装置３０の画面サイズは、それぞれが異なるサイズであってもよい。この場合、電子黒板２０は、ある一つの端末装置３０の画面サイズに対応した画像データを生成して、複数の端末装置３０へと送信する。そして、端末装置３０は、自身が有する出力部５２の画面サイズと異なる画像データを受信した場合には、例えば、縮小して表示する。また、電子黒板２０は、それぞれの端末装置３０に対応する複数種類の画面サイズの画像データを生成し、それぞれの端末装置３０に対応する画面サイズの画像データを送信してもよい。
【００８４】
また、端末装置３０は、例えば、腕時計タイプの超小型の装置であってもよい。この場合、端末装置３０は、電子黒板２０から送信された画像データのうち、重要な情報を表示し、他を表示しなくてもよい。重要な情報であるか否かは、例えば、電子黒板２０のユーザが描画データの選択時に指定する。また、この場合、電子黒板２０は、表示しなかった画像データを後から電子黒板２０に再送信を要求してもよい。電子黒板２０は、再送信が要求された場合には、指定された画像データを端末装置３０へと送信する。
【００８５】
また、端末装置３０は、画像データを用紙に印刷する印刷装置であってもよい。この場合、電子黒板２０は、端末装置３０から出力される用紙のサイズに対応するアスペクト比の画像データを生成する。そして、端末装置３０は、画像データを電子黒板２０から受信した場合、受信した画像データを用紙に印刷する。
【００８６】
以上、本発明のいくつかの実施形態を説明したが、これらの実施形態は、例として提示したものであり、発明の範囲を限定することは意図していない。これら新規な実施形態は、その他の様々な形態で実施されることが可能である。
【符号の説明】
【００８７】
１０  伝送システム
２０  電子黒板
２２  電子ペン
３０  端末装置
４１  入力部
４２  描画部
４３  記憶部
４４  表示部
４５  抽出部
４６  生成部
４７  送信部
４８  モード受付部
４９  セッション形成部
５１  受信部
５２  出力部
５３  端末側セッション形成部
６０  描画データ
６１  選択線
６２  矩形領域
８１  背景取得部
８２  背景データ
９１  ガイド画像
【先行技術文献】
【特許文献】
【００８８】
【特許文献１】特開２０１３−１１４３７３号公報
【図１】
0006417787.tif 000002
【図２】
0006417787.tif 000003
【図３】
0006417787.tif 000004
【図４】
0006417787.tif 000005
【図５】
0006417787.tif 000006
【図６】
0006417787.tif 000007
【図７】
0006417787.tif 000008
【図８】
0006417787.tif 000009
【図９】
0006417787.tif 000010
【図１０】
0006417787.tif 000011
【図１１】
0006417787.tif 000012
【図１２】
0006417787.tif 000013
【図１３】
0006417787.tif 000014
【図１４】
0006417787.tif 000015
【図１５】
0006417787.tif 000016
【図１６】
0006417787.tif 000017
【図１７】
0006417787.tif 000018
【図１８】
0006417787.tif 000019
【図１９】
0006417787.tif 000020
【図２０】
0006417787.tif 000021
【図２１】
0006417787.tif 000022
【図２２】
0006417787.tif 000023
【図２３】
0006417787.tif 000024
【図２４】
0006417787.tif 000025
【図２５】
0006417787.tif 000026
【図２６】
0006417787.tif 000027
【図２７】
0006417787.tif 000028